(57)【特許請求の範囲】
【請求項１】
周壁４上端縁より頂板５を延設してなる下端面開口の有頂筒状をなすとともに、頂板５の離隔位置に短筒状に隆起した左右一対の隆起部６を突設してなる合成樹脂製の容器本体２と、該本体下面に上面周縁部を固着させて本体２下端開口を閉塞する合成樹脂製の底蓋３とからなり、一方の隆起部6aの内径を他方の隆起部6b外周に密嵌可能な大きさに構成してなることを特徴とする薄肉容器。
【請求項２】
上記頂板５中央を前後に縦断して二分割するとともに、両端を容器本体２の周壁４前後上部にそれぞれ延設してなる折り込み線ａを設けてなる請求項１記載の薄肉容器。
【請求項３】
上記頂板５が折り込み線ａに向かって傾斜下降する如く構成してなる請求項２記載の薄肉容器。
【請求項４】
上記容器本体周壁４が、下方より上方に行くに従って縮径するテーパ状に形成してなる請求項１記載の薄肉容器。
【発明の詳細な説明】
【０００１】
【発明の属する技術分野】
本発明は薄肉容器に関する。
【０００２】
【従来の技術】
液状化粧品等を収納する容器は、保形性を有する肉厚の合成樹脂或いは硝子等により形成され、従来は内容物の使用後廃棄するのが一般的である。しかしながら、近年のゴミ処理事情の悪化に伴い、廃棄物は出来るだけその量を押さえることが要望されている。
【０００３】
この様な背景から最近では、内容物を簡単な詰め替え用袋に収納して内容物の詰め替えを行い、詰め替え用の袋のみを廃棄することが行われている。これらの袋は廃棄の際、その重量、嵩を出来るだけ少なくすることが好ましいため、例えばプラスチックフィルムの周囲内面相互を接着して製袋した袋内部に液を密閉収納させ、使用に当たって、例えば、袋のコーナーの一部を切断除去して収納部を開口させ、しかる後収納部を押圧して開口部より内容物を注出する如く構成している。
【０００４】
【発明が解決しようとする課題】
しかしながら、この種の袋はコーナー部を切断除去して開口させるため開口部が小さ過ぎて注出に時間が掛かったり、或いは大き過ぎて液を注入する容器口から外れたり、また、切断角度が悪いとあらぬ方向に液が注出したり、更に、保形性に乏しいため持ち難く、的確に容器に注入することが難しい等、容器への注入が行い難いという欠点がある。
【０００５】
また、一旦開口した場合には内容物を全部移し替えない限り開口したままで保管しなければならない不都合があり、その場合、保形性が無いため極めて保管が難しい。
【０００６】
本発明は、上記した点に鑑み、注出口を常時略一定に開口出来て他の容器への注入が行い易く、また、開封後残液があっても良好な保管を行え、しかも構造は極めて簡単で安価に製造できるとともに、保形性を備えた薄肉の合成樹脂により形成しているため、廃棄の際には小重量，小容量で行える優れた薄肉容器を提案するものである。
【０００７】
【課題を解決するための手段】
本請求項１発明の薄肉容器は、上記課題を解決するため、周壁４上端縁より頂板５を延設してなる下端面開口の有頂筒状をなすとともに、頂板５の離隔位置に短筒状に隆起した左右一対の隆起部６を突設してなる合成樹脂製の容器本体２と、該本体下面に上面周縁部を固着させて本体２下端開口を閉塞する合成樹脂製の底蓋３とからなり、一方の隆起部6aの内径を他方の隆起部6b外周に密嵌可能な大きさに構成してなることを特徴とする薄肉容器として構成した。
【０００８】
また、請求項２発明の容器は、上記頂板５中央を前後に縦断して二分割するとともに、両端を容器本体２の周壁４前後上部にそれぞれ延設してなる折り込み線ａを設けてなる請求項１記載の薄肉容器として構成した。
【０００９】
また、請求項３発明の容器は、上記頂板５が折り込み線ａに向かって傾斜下降する如く構成してなる請求項２記載の薄肉容器として構成した。
【００１０】
また、請求項４発明の容器は、上記容器本体周壁４が、下方より上方に行くに従って縮径するテーパ状に形成してなる請求項１記載の薄肉容器として構成した。
【００１１】
【発明の実施の形態】
以下、本発明の実施例の形態を図面を参照して説明する。
【００１２】
本発明の薄肉容器１は、容器本体２と、底蓋３とから構成している。
容器本体２は薄肉に形成した合成樹脂製で、周壁４上端縁より頂板５を延設した下端面開口の有頂筒状をなしている。容器本体２の肉厚は、使用する樹脂等により若干異なるが、保形性を維持しつつできるだけ薄く構成することが好ましく、例えば、０．３ミリメートルを中心とする目安で選択すると良い。但し、厚さはこの数値に限定されない。
【００１３】
容器本体２の具体的形状としては、図示例の如く、下方が円筒状で上方が四角筒状である異形筒状であっても、或いはその他の円筒状、四角筒状、或いは他の筒状であっても良い。また、容器本体２は、その周壁４が下方より上方に行くに従って縮径するテーパ状に形成すると良い。この様に構成することにより、液充填後の容器の起立安定性を高め、また、液充填前には積み重ねておくことが出来る。
【００１４】
また、容器本体２の頂板５の離隔位置に短筒状に隆起した左右一対の隆起部６を突設している。
【００１５】
この隆起部６の一方は注出口を形成するためのもので、他方は注出口を閉塞する閉塞栓の役割を果たすものである。本発明では、各隆起部のうち一方の隆起部6aの内径を他方の隆起部6b外周に密嵌可能な大きさに構成している。そして、一方の隆起部6a先端部を切断除去して注出口Ａを開口し、頂板５を折り畳んで注出口Ａ内に他方の隆起部6bが密嵌する如く構成している。
【００１６】
本実施例の各隆起部６は、下端を開口した上端面閉塞の短円筒状で、各々の周壁部にそれぞれ嵌合突条部７を突周設している。各嵌合突条部は外方へ半円状に突出した断面形状の突条であり、一方隆起部6aを他方隆起部6bに嵌合させた際に一方の突条部７内面に他方の突条部７外面が嵌合して外力により簡単に外れない様に構成している。
【００１７】
容器本体２には折り込み線ａを設けると良い。この折り込み線ａは、その部分に於いて頂板５を屈曲させて折り畳み易くするために設けたもので、頂板５中央を前後に縦断して二分割するとともに、両端を本体周壁４上部に至る部分に延設している。尚この折り込み線ａは、頂板５にのみ設けても良い。
【００１８】
折り込み線ａの具体的形状は種々採用できるが、例えば図示例の如く、断面が外方へ向く半円状に膨出させた突条として構成することができる。或いは、内方へ半円状に膨出する突条として構成してもよく、或いは、その部分を薄肉線状に形成しても良い。
【００１９】
また、上記折り込み線ａを形成した容器に於いて、容器本体の頂板５を折り込み線ａに向かって傾斜下降する如く構成すると、更に折り畳みが楽に行える。
【００２０】
この様に構成した容器本体２を形成する場合は、例えば、合成樹脂シート或いはフィルムを用いて真空−圧空成形等のシート成形方法により形成することができる。
【００２１】
底蓋３も合成樹脂製で、本体２下面に上面周縁部を固着させて本体２下端開口を閉塞する。固着方法としては、融着が採用でき、また、その他接着剤を使用する接着を採用することもできる。図示例では、本体２の周壁下端縁より延設したフランジ下面に、円板状の底蓋上面周縁部を融着させている。
【００２２】
上記の如く構成した容器を使用する場合について説明すると、開封前の図１の状態から一方の隆起部6a先端部を切断除去して収納液を使用する。収納残液がある場合には、折り込み線ａの部分で頂板５を折り畳み注出口Ａ内に他方の隆起部6bを嵌合させて注出口Ａを密閉する。
【００２３】
【発明の効果】
以上説明した如く本発明薄肉容器は、既述構成としたことにより、短筒状の一方の隆起部先端を切断除去することにより開封でき、常時略一定の開口部を得られて他の容器への注入等が行い易く、また、一方の隆起部の内径を他方の隆起部外周に密嵌可能な大きさに構成しているので、開封後残液があっても開口部を他方の隆起部により密嵌させて閉塞できるため、良好な残液の保管を行える。しかも構造は簡単でシート成形により大量に形成できる利点を兼ね備えている。
【００２４】
また、薄肉の合成樹脂で形成しているため、小重量或いは小容量での廃棄を行えるものである。
【００２５】
また、頂板中央を前後に縦断して二分割するとともに、両端を容器本体の周壁上部にそれぞれ延設してなる折り込み線を設けたものにあっては、頂板の折り畳みが極めて容易に行え、その結果、開口部の開閉をより容易に行えるという効果を併せて発揮するものである。
【００２６】
また、上記折り込み線を設けたもので、且つ頂板が折り込み線に向かって傾斜下降する如く構成したものにあっては、更に頂板の折り畳みが容易に行えるものである。
【００２７】
また、容器本体周壁が、下方より上方に行くに従って縮径するテーパ状に形成してなるものにあっては、液充填後の容器の起立安定性が増し、また、液充填前には積み重ねておくことができて、嵩張らず、余分なスペースをとらないという利点を兼ね備える。
【図面の簡単な説明】
【図１】本発明の一実施例を示す斜視図である。
【図２】同実施例の開封後に注出口を閉栓した状態を示す斜視図である。
【図３】同実施例の開封後に注出口を閉栓した状態を示す一部切欠き要部側面図である。
【符号の説明】
２…容器本体，３…底蓋，４…周壁，５…頂板，６，6a，6b…隆起部，
ａ…折り込み線，Ａ…注出口
【図１】
0003725315.tif 000002
【図２】
0003725315.tif 000003
【図３】
0003725315.tif 000004